(57)【要約】      （修正有）【課題】苔を植生させる緑化シートであって、保持材の保持面に安定して苔を保持させることが容易な緑化シートを提供する。【解決手段】苔３を植生させる緑化シートであって、シート状に成形された保持材１と、保持材１の片面である保持面側に配置され且つ網状に成形されたカバー体２とを備え、保持材１の保持面に配置された苔３が該保持材１とカバー体２との間で挟持されて保持されるように、カバー体２が前記保持面側に取付けられ、カバー体２は、ハニカム構造を有する。【選択図】図２
0003209914.tif 000002
【実用新案登録請求の範囲】
【請求項１】
苔を植生させる緑化シートであって、
シート状に成形された保持材と、
該保持材の片面である保持面に配置され且つ網状に成形されたカバー体とを備え、
前記保持材の保持面側に配置された苔が該保持材と前記カバー体との間で挟持されて保持されるように、該カバー体が前記保持面側に取付けられ、
前記カバー体は、ハニカム構造を有する
ことを特徴とする緑化シート。
【請求項２】
前記カバー体は金属製である
請求項１に記載の緑化シート。
【請求項３】
前記カバー体は亀甲金網である
請求項２に記載の緑化シート。
【請求項４】
前記カバー体を保持材の保持面側に仮に取付ける取付具を、前記緑化シートを対象面に本止めして取付ける取付具とは別に設けた
請求項１乃至３の何れかに記載の緑化シート。
【請求項５】
前記保持面に配置される苔は、苔マットである
請求項１乃至４の何れかに記載の緑化シート。
【請求項６】
前記苔は、接着剤によって、前記保持面に接着されて保持される
請求項１乃至５の何れかに記載の緑化シート。
【請求項７】
前記保持材が防草シートである
請求項６に記載の緑化シート。
【請求項８】
前記保持材は前記苔を根付かせることが可能な繊維材料によって構成された
請求項１乃至６の何れかに記載の緑化シート。
【考案の詳細な説明】
【技術分野】
【０００１】
この考案は、苔を植生させる緑化シートに関する。
【背景技術】
【０００２】
シート状に成形され且つ苔が植生される保持材を備えた緑化シートが従来公知である。この緑化シートを用いることにより、苔による屋上緑化や壁面緑化等を容易且つ短期間で行うことが可能になる。
【０００３】
さらに、保持材の片面に保持された苔が該保持材から剥離することを防止する目的で、網状に成形されたカバー体を前記保持面側に配置し、前記保持面に配置された苔が保持材とカバー体との間で挟持されて保持されるように、該カバー体を前記保持面側に取付けたられた緑化シートが公知になっている（例えば、特許文献１を参照）。
【先行技術文献】
【特許文献】
【０００４】
【特許文献１】実用新案登録第３１８７６１４号公報
【考案の概要】
【考案が解決しようとする課題】
【０００５】
しかし、上記文献の緑化シートでは、カバー体が苔を保持する強度が不足した場合には、保持材からの苔が剥離する虞がある。
【０００６】
本考案は、苔を植生させる緑化シートであって、保持材の保持面に安定して苔を保持させることが容易な緑化シートを提供することを課題とする。
【課題を解決するための手段】
【０００７】
上記課題を解決するため、苔を植生させる緑化シートであって、シート状に成形された保持材と、該保持材の片面である保持面側に配置され且つ網状に成形されたカバー体とを備え、前記保持材の保持面に配置された苔が該保持材と前記カバー体との間で挟持されて保持されるように、該カバー体が前記保持面側に取付けられ、前記カバー体は、ハニカム構造を有することを特徴とする。
【０００８】
前記カバー体は金属製であるものとしてもよい。
【０００９】
前記カバー体は亀甲金網であるものとしてもよい。
【００１０】
前記カバー体を保持材の保持面側に仮に取付ける取付具を、前記緑化シートを対象面に本止めして取付ける取付具とは別に設けたものとしてもよい。
【００１１】
前記保持面に配置される苔は、苔マットであるものとしてもよい。
【００１２】
前記苔は、接着剤によって、前記保持面に接着されて保持されるものとしてもよい。
【００１３】
前記保持材が防草シートであるものとしてもよい。
【００１４】
前記保持材は前記苔を根付かせることが可能な繊維材料によって構成されたものとしてもよい。
【考案の効果】
【００１５】
ハニカム構造を採用したカバー体によって、該カバー体が苔を保持面に保持する強度が向上するため、保持材の保持面に苔をより安定的に保持させることが容易になる。
【図面の簡単な説明】
【００１６】
【図１】本考案を適用した緑化シートの構成を示す分解斜視図である。
【図２】本考案を適用した緑化シートの構成を示す側断面図である。
【図３】カバー体の平面図である。
【図４】（Ａ）乃至（Ｄ）は本緑化シートの生産方法の工程を順次に示す側断面図である。
【図５】本考案の別実施形態に係る緑化シートの構成を示す側断面図である。
【図６】（Ａ）乃至（Ｄ）は本発明の別実施形態に係る緑化シートの生産方法の工程を順次に示す側断面図である。
【考案を実施するための形態】
【００１７】
図１，図２は、本考案を適用した緑化シートの構成を示す分解斜視図及び側断面図であり、図３はカバー体の平面図である。図示する緑化シートは、苔を植生させるように構成されている。具体的には、この緑化シートは、シート状に成形され且つ片面（具体的には上面であり、以下、「保持面」と称する）１ａに苔を保持させるシート基材（保持材）１と、該シート基材１の保持面１ａ側に配置され且つカバー体２とを備えている。
【００１８】
前記シート基材１は、ポリプロピレン（ＰＰ）等の合成樹脂製の繊維をクロスさせて編込み、このクロスさせた繊維同士を熱圧着させることにより構成されている。このシート基材１は、薄く軽量化されて十分な通水性も確保され、土中で加水分解もせず、酸やアルカリや微生物に対しても耐久性を有し、紫外線による劣化防止加工もされている。
【００１９】
このシート基材１は、具体的には、以下のように性能を有している。
【００２０】
【表１】
0003209914.tif 000003
【００２１】
上記構成によって、このシート基材１は防草シートとして機能する。このため、このシート基材１を、土面等の水平な対象面Ｍに敷設した場合、該対象面Ｍとシート基材１の下面との間から雑草が生えることが防止される。また、対象面Ｍから雑草が生えた場合でも、シート基材１を貫通することが防止される。
【００２２】
カバー体２は、ハニカム構造を有する網状に成形されている。具体的には、カバー体２が金属製の網（さらに具体的には鉄製又はステンレス製の亀甲網）によって構成されている。言換えると、カバー体２は、金属製の線状部材（ワイヤー）が編み込まれ、複数の六角形状を構成している。ちなみに、この六角形状のサイズは、数十ミリで設定されている。
【００２３】
前記カバー体２は、上述した通り、シート基材１の保持面１ａ側に配置されるが、これを具体的に説明すると、前記シート基材１の保持面１ａには、苗箱でシート状に生育されてなる苔マット（苔）３が保持されており、この苔マット３における保持面１ａと接する側と反対側の面である上面側を、前記カバー体２によって覆う。そして、前記カバー体２を、ホチキス等の図示しない仮止め具（取付具）によって、シート基材１に仮止めして取付け固定させる。この仮止め具による固定は、所定間隔（例えば、１００ｍｍ程度）毎に行う。
【００２４】
このように、カバー体２がシート基材１に仮止め固定された状態では、前記苔マット３が、カバー体２とシート基材１の保持面１ａとの間に挟持された状態で保持されるため、該苔マット３のシート基材１への保持強度が向上する。
【００２５】
ちなみに、上記仮止めは、本緑化シートの対象面Ｍへの本止め固定の前に行う。言換えると、この仮止めによって、本緑化シートの製造は完了する。この緑化シートは、上記仮止め具とは別に設けた図示しないスピンドルピン等の本止め具（取付具）によって、対象面Ｍに固定される。この本止め具も所定間隔（例えば、１０００ｍｍ程度）毎に設置される。
【００２６】
また、苔３は、本例では、ハイゴケを用いているが、それ以外にも様々な種類の苔を用いることが可能である。例えば、ミズゴケや、スナゴケや、シッポゴケやや、カモジゴケや、トヤマシノブドケや、ヒノキゴケや、ギンゴケや、ツボゴケや、コツボチョウチンゴケや、ホソウリゴケや、チジミバコブゴケや、カモジゴケ等、種々の苔を用いることが可能である。
【００２７】
図４（Ａ）乃至（Ｄ）は本緑化シートの生産方法の工程を順次に示す側断面図である。
【００２８】
同図（Ａ）に示すシート基材１に対して、同図（Ｂ）に示すように、保持面１ａに接着剤を塗布することによって接着層４を形成する。この接着剤は、苔マット３とシート基材１との接着性を加味して、本例ではウレタン樹脂系の接着剤を用いるが、ある程度の接着性が確保され且つ苔３に対して害の少ないものであれば、これに限定されるものではない。
【００２９】
そして、同図（Ｃ）に示す通り、この接着層４を介して、シート基材１の保持面１ａに苔マット３の片面を接着させる。
【００３０】
続いて、同図（Ｄ）に示す通り、保持面１ａに保持させた苔マット３における該保持面１ａと反対側の面を、前記カバー体２によって覆い、この状態で、該カバー体２を上述の手段によりシート基材１に仮止め固定させ、緑化シートの生産を完了する。
【００３１】
ちなみに、苔マット３の生長度合によっては、この状態から、苔マット３をある程度生長させる。また、緑化シートの苔への水やりは、原則として、１日に２回程度行うが、この回数や１回の水の量は、湿度や温度によって調整する。
【００３２】
このようにして生産した緑化シートを、水平な対象面Ｍに敷設し、等ピッチに配置されたスピンドルピンによって固定する。
【００３３】
以上のように構成される本緑化シートによれば、カバー体２によって、苔マット３を保持面１ａに安定的に固定させることが可能になる他、ある程度生長させた苔マット３を保持面１ａに植生させることが可能になるため、緑化シートの完成後、時間経過を待つことなく、該緑化シートを対象面Ｍに敷設することが可能になる。
【００３４】
なお、対象面Ｍにシート基材１をスピンドルピンで固定した後、保持面１ａに苔マット３及びカバー体２を敷設してもよい。
【００３５】
また、対象面Ｍは、水平面に限定されるものではなく、構造物の壁面等を対象面Ｍとしてもよい。ちなみに、ＲＣ構造の構造物の壁面に本緑化シートを敷設する場合、まずスピンドルピ釘等を壁面にエポキシ樹脂製ボンド等で接着し、このスピンドル釘等によって、緑化シートの前記壁面への取付けを行う。
【００３６】
さらに、緑化シートを、広い対象面Ｍに複数枚敷設する場合には、隣接するシート基材１，１の端部同士を重ね、この重ね合せ、この状態で、接着層４を形成作業や、苔マット３の接着作業や、カバー体２の設置作業を行い、最後に、前記重ね合せた部分を、スピンドルピンで、対象面Ｍにまとめて固定する。
【００３７】
また、シート基材１とカバー体２とは、平面視におけるサイズが必ずしも同一又は略同一である必要はなく、１枚のシート基材１に複数枚のカバー体２を一部で重ねて配置してもよい。この際、複数のカバー体２同士は同一サイズであってもよいし、異なるサイズであってもよい。
【００３８】
次に、図５及び図６に基づき、本発明の別実施形態について、上述の形態と異なる点を説明する。
【００３９】
図５は、本考案の別実施形態に係る緑化シートの構成を示す側断面図である。同図に示す例では、シート基材１が、緑化シートではなく、苔３を根付かせる（苔３の支根を定着させる）ことが可能な素材から構成されている。
【００４０】
具体的には、シート基材１を、苔３を根付かせることが可能な繊維材料（具体的には、ジュート布）によって構成する。このシート基材１は、不織布であり、安価で、雑草が生えることをある程度防止することも可能であり、防草シートよりも高い保水性と保湿性とを有している。
【００４１】
図６（Ａ）乃至（Ｄ）は本発明の別実施形態に係る緑化シートの生産方法の工程を順次に示す側断面図である。同図（Ａ）に示すシート基材１の保持面１ａに、同図（Ｂ）示す通り、苔３を配置し、この場所で、同図（Ｃ）に示す通り、苔３を生長させ該保持面１ａ側の層に苔３を根付かせる。言換えると、シート基材１の保持面１ａ側の層は苔３の支根を定着させる定着層１ｂになる。ちなみに、前記配置の際は、細かく裁断した状態の苔３を保持面１ａに配置してもよいし、或いは苗の状態で植栽してもよい。
【００４２】
続いて、同図（Ｄ）に示す通り、保持面１ａに保持させた苔マット３における該保持面１ａと接する面と反対側の面を、前記カバー体２によって覆い、この状態で、該カバー体２を上述の手段によりシート基材１に仮止め固定させ、緑化シートの生産を完了する。
【００４３】
以上のように構成される緑化シートによれば、接着剤が不要になり、また、シート基材１も防草シートよりも安価なジュート布を用いるため、コストが安く抑えることが容易になる。
【００４４】
なお、苔３のシート基材１への定着性を向上させるために、補助的に苔３を保持面１ａに接着させてもよい。また、苔マット３を、シート基材１の保持面１ａ側に植生させてもよく、この場合、接着を用いてもよいし、或いは、支根による定着によって、保持面１ａ側に苔マット３を定着させてもよい。
【００４５】
また、図５に仮想線で示す通り、ジュート布から構成されるシート基材１の保持面１ａと反対側の面に、防草シート６を敷設して、防草効果を高めても良い。
【符号の説明】
【００４６】
１  シート基材（保持材）
１ａ  保持面
１ｂ  定着層
２  カバー体
３  苔マット（苔）
４  接着層
６  防草シート
Ｍ  対象面
【図１】
0003209914.tif 000004
【図２】
0003209914.tif 000005
【図３】
0003209914.tif 000006
【図４】
0003209914.tif 000007
【図５】
0003209914.tif 000008
【図６】
0003209914.tif 000009